(57)【要約】【課題】複数のボールを短時間で一直線に並べることができてパター技術の大幅な向上を図ることができるゴルフボールを提供する。【解決手段】ゴルフボール１０は、ボール本体１１の表面に略面一として露出させて埋め込んだ一対の永久磁石１６、１６を備える。各永久磁石１６、１６をボール本体１１の中心を通る直線上両端にそれぞれ設ける。両永久磁石１６、１６の露出側を相互に異なる極性とする。ボール本体１１の表面に永久磁石１６の極性を示す目印２０を、少なくとも一方の永久磁石１６側に設ける。【選択図】      図１
2005006805.tif 000002
【特許請求の範囲】
【請求項１】
ボール本体の表面に略面一として露出させて埋め込んだ一対の永久磁石を備え、各永久磁石を前記ボール本体の中心を通る直線上両端にそれぞれ設けると共に、前記両永久磁石の露出側を相互に異なる極性としたことをと特徴とするゴルフボール。
【請求項２】
ボール本体の表面に永久磁石の極性を示す目印を、少なくとも一方の永久磁石側に設けたことを特徴とする請求項１のゴルフボール。
【請求項３】
ボール本体の表面に略面一として露出させて埋め込んだ永久磁石と、この永久磁石が設けられた面と反対側の面に露出して設けられ、当該永久磁石に吸着可能な吸着部材とを備え、
前記永久磁石と前記吸着部材とを前記ボール本体の中心を通る直線上に設けたことをと特徴とするゴルフボール。
【請求項４】
ボール本体の表面に永久磁石の極性或いは吸着部材を示す目印を、少なくとも一方の永久磁石側或いは他方の吸着部材側に設けたことを特徴とする請求項３のゴルフボール。
【請求項５】
前記永久磁石をネオジウムにて構成したことを特徴とする請求項１、請求項２、請求項３又は請求項４のゴルフボール。
【請求項６】
前記永久磁石及び吸着部材の露出面を平面としたことを特徴とする請求項１、請求項２、請求項３、請求項４又は請求項５のゴルフボール。
【発明の詳細な説明】
【０００１】
【発明の属する技術分野】
本発明は、ゴルフボールに関し、特に、パター技術を向上することができるゴルフボールに関するものである。
【０００２】
【従来の技術】
従来より健康保持や社交等に広くゴルフが行われ、ゴルフ熱の高揚とともにゴルフ場や庭等においてもゴルフパター等の練習が盛んに行われるようになってきている。そこで、家庭等でほんの少しのスペースがあればパター技術を向上することができる方法としてゴルフボールを複数個、例えばパターで打てる範囲の３個程度を直線上に並べてパターで打ち、全てのゴルフボールが狙った方向に平行に進まずに乱れて進めばパター技術は向上過程者、狙った方向に真っ直ぐ平行に進めばパター技術は相当の向上者とされている。
【０００３】
しかし、ゴルフボールは球形のため容易に転がってしまう。このため直線上に複数個並べるのは非常に困難であるので、ゴルフボールに永久磁石を設ければゴルフボールを吸着させて短時間で直線上に複数個並べられると考えられる。そこで、ゴルフボールにゴム層を形成し、このゴム層に磁力を帯びた鉄粉を混合したものが考えられている（特許文献１参照）。
【０００４】
【特許文献１】
実開昭６１−４８７５６号公報
【０００５】
【発明が解決しようとする課題】
しかしながら、磁力を帯びさせたゴルフボールは競技者が持った磁石の指針の方向を見ることによってブッシュや砂の中に入り込んだゴルフボールを探し出すもので、どの方向からでも探し出せるようにゴルフボールの３６０度周囲に磁力線を放出させる構造となっている。このため、ゴルフボールはどの位置でも吸着してしまうため複数のゴルフボールを一直線に並べるのは難しく、やはり複数のゴルフボールを短時間で一直線に並べるのは困難であった。
【０００６】
本発明は、係る従来技術の課題を解決するために成されたものであり、複数のボールを短時間で一直線に並べることができてパター技術の大幅な向上を図ることができるゴルフボールを提供することを目的とする。
【０００７】
【課題を解決するための手段】
即ち、本発明のゴルフボールは、ボール本体の表面に略面一として露出させて埋め込んだ一対の永久磁石を備え、各永久磁石をボール本体の中心を通る直線上両端にそれぞれ設けると共に、両永久磁石の露出側を相互に異なる極性としたことをと特徴とする。
【０００８】
また、請求項２の発明のゴルフボールは、上記に加えて、ボール本体の表面に永久磁石の極性を示す目印を、少なくとも一方の永久磁石側に設けたことを特徴とする。
【０００９】
また、請求項３の発明のゴルフボールは、ボール本体の表面に略面一として露出させて埋め込んだ永久磁石と、この永久磁石が設けられた面と反対側の面に露出して設けられ、当該永久磁石に吸着可能な吸着部材とを備え、永久磁石と吸着部材とをボール本体の中心を通る直線上に設けたことをと特徴とする。
【００１０】
また、請求項４の発明のゴルフボールは、請求項３に加えて、ボール本体の表面に永久磁石の極性或いは吸着部材を示す目印を、少なくとも一方の永久磁石側或いは他方の吸着部材側に設けたことを特徴とする。
【００１１】
また、請求項５の発明のゴルフボールは、請求項１、請求項２、請求項３又は請求項４において、永久磁石をネオジウムにて構成したことを特徴とする。
【００１２】
更に、請求項６の発明のゴルフボールは、請求項１、請求項２、請求項３、請求項４又は請求項５において、永久磁石及び吸着部材の露出面を平面としたことを特徴とする。
【００１３】
【発明の実施の形態】
次に、図面に基づき本発明の実施形態を詳述する。図１は本発明のゴルフボール１０の正面図、図２は本発明のゴルフボール１０の一部断面図、図３はゴルフボール１０の模式図をそれぞれ示している。
【００１４】
１０は一般に市販されているゴルフボール１０でこのゴルフボール１０はボール本体１１と複数の永久磁石１６とから構成されている。１２は高分子樹脂材料またはガタパチャーゴムなどからなる外被、１３は補強部材、１４はボール本体１１の中心に高圧縮されて高反発性を有する充填材である。１５はゴルフボール１０の飛行中に周囲の空気の流れを乱すことにより空圧抵抗を小さくすると共に揚力を向上させるためのディンプルである。
【００１５】
永久磁石１６は例えば従来一般的に知られているフェライト磁石より磁力が強力なネオジウムにて構成され、直径約５ｍｍ、長さ約５ｍｍの円筒形に形成されている。この、円筒形の永久磁石１６の両端面は殆ど凹凸のない平面に構成されている。このネオジウムからなる永久磁石１６がボール本体１１に一対埋め込まれている。両永久磁石１６、１６はボール本体１１の中心を通る直線上両端にそれぞれ設けられ圧入、或いはゴム系接着剤などで固定されると共に、各永久磁石１６、１６の長さ方向一端面を、ゴルフボール１０の外被１２表面に略面一に露出させている。尚、図では永久磁石１６を１３迄埋め込んでいるが、永久磁石１６の長さを短くして外被１２だけに固定するようにしても差し支えない。また、永久磁石１６は、露出側よりボール本体１１の中心側を僅か太い径にして、ゴルフボール１０から永久磁石１６が抜けないように構成しても差し支えない。
【００１６】
また、ボール本体１１に埋め込んだ一対の永久磁石１６、１６の露出側の磁極を相互に異なる極性としている。この場合、例えば一方の永久磁石１６（図中右側）の露出側をＮ極、他方の永久磁石１６（図中左側）の露出側をＳ極としている（図３）。尚、一方の永久磁石１６（図中右側）の露出側をＳ極、他方の永久磁石１６（図中左側）の露出側をＮ極としても良い。
【００１７】
このゴルフボール１０には埋め込んだ永久磁石１６のボール本体１１の表面に露出する永久磁石１６のＳ極或いはＮ極のどちらか一方の極性（実施例では例えばＮ極側）を示す目印２０を設けている（図４）。この目印２０は外被１２表面の一部を当該外被１２と異なる色に着色、或いは、外被１２材料そのものを着色している。尚、２０Ａはゴルフボール１０の目印２０を設けていない部分としての被目印部である。
【００１８】
即ち、目印２０は少なくとも一方の永久磁石１６（図４右側）側のボール本体１１の約半分に設けている。この場合、目印２０はボール本体１１の約半分に限らず、ボール本体１１に埋め込んだ永久磁石１６の極性を識別できれば永久磁石１６面に設けても差し支えなく、また、目印２０は永久磁石１６面より大きく、ボール本体１１の半分より小さくしても差し支えない。また、被目印部２０Ａに目印２０と異なる色の目印を設けても差し支えない。
【００１９】
そして、一対の永久磁石１６、１６を埋め込んだ２個のゴルフボール１０を用意し、一方のゴルフボール１０に設けた目印２０（永久磁石１６のＮ極）と、他方のゴルフボール１０に設けた目印２０がない被目印部２０Ａ（永久磁石１６のＳ極）を接近させると、外被１２表面に略面一に露出しているＮ極の永久磁石１６とＳ極の永久磁石１６は吸着し密着する。これが複数個（実施例では３個）吸着される（図５、図６）。即ち、永久磁石１６の端面を平面に構成しているので、複数のゴルフボール１０を短時間で、且つ直線上に容易に並べることができる。尚、永久磁石１６が外被１２表面より突出していると、ゴルフボール１０は真っ直ぐ回転して進まなくなるので、永久磁石１６を外被１２表面に略面一に露出させている。
【００２０】
該吸着させた複数のボール本体１１に設けた永久磁石１６は各ゴルフボール１０が相互に接する個所に位置しているので、パターが鉄などの永久磁石１６が吸着可能な材料で作られている場合でも、ゴルフボール１０がパターに吸着するなどの不都合が発生することがない。詳しくは、パターが当たる個所は両永久磁石１６、１６を結ぶ直線に対して直交方向に位置しているので永久磁石１６とパターとの距離が遠くなり磁力が弱くなるので、パターでゴルフボール１０を打った際永久磁石１６がパターに吸着するなどの影響も無くパター練習を好適に行うことができる。
【００２１】
このように、ボール本体１１の表面に略面一に露出させて埋め込んだ一対の永久磁石１６、１６を備えている。そして、各永久磁石１６、１６をボール本体１１の中心を通る直線上両端にそれぞれ設け、両永久磁石１６、１６の露出側を相互に異なる極性としているので、例えば、ボール本体１１に設けた一方の永久磁石１６と他のボール本体１１に設けた他方の永久磁石１６とを容易に吸着させることが可能となる。これにより、複数個のゴルフボール１０を極めて簡単且つ短時間に直線上に並べることができるようになる。
【００２２】
特に、一対の永久磁石１６、１６をボール本体１１の中心を通る直線上に設け、複数のゴルフボール１０を一直線上に並べることができるので、複数のゴルフボール１０が平行に略直線に進むか曲がってしまうか否かのパター練習を行うことが可能になる。また、ボール本体１１に一対の永久磁石１６、１６を設けているので、ゴルフボール１０を直線上に並べる煩わしさもなくなり、極めて短時間で複数のゴルフボール１０を並べることができる。
【００２３】
また、ボール本体１１の表面に永久磁石１６の極性を示す目印２０を、少なくとも一方の永久磁石１６側に設けているので、この目印２０側の永久磁石１６（Ｎ極）と他のゴルフボール１０の目印２０と反対側の永久磁石１６（Ｓ極）とを吸着させることができる。また、他方の永久磁石１６のＳ極側に目印２０を行えば、この目印２０側の永久磁石１６（Ｓ極）と他のゴルフボール１０に設けた目印２０の反対側の一方の永久磁石１６（Ｎ極）とを吸着させることができる。これにより、複数のゴルフボール１０を簡単且つ極めて容易に直線上に並べることが可能となる。
【００２４】
また、永久磁石１６及び吸着部材２２の露出面を平面としているので、相互に吸着する永久磁石１６の吸着力を最大限増大させることができる。これにより、更に小さな永久磁石１６を用いてもゴルフボール１０とゴルフボール１０とを強力に吸着させることが可能となるので、永久磁石１６の磁力で複数のゴルフボール１０を極めて容易に直線上に並べることができる。
【００２５】
次に、図７には本発明の他の実施例のゴルフボール１０を示している。この場合、図３のゴルフボール１０に設けた一方（図中右側）の永久磁石１６の代わりに吸着部材２２を設けている。この吸着部材２２は磁力がなく永久磁石１６に吸着可能な鉄材などで構成されている。この吸着部材２２は永久磁石１６と略同等形状に形成されている。即ち、ゴルフボール１０は、ボール本体１１の表面に略面に露出させて永久磁石１６を埋め込み、この永久磁石１６を設けた面と反対側の面に露出して吸着部材２２を設け、永久磁石１６と吸着部材２２とをボール本体１１の中心を通る直線上に設けている。他ゴルフボール１０は前述同様に構成されている。
【００２６】
このようにボール本体１１に設けた永久磁石１６と他のボール本体１１に設けた吸着部材２２とを吸着させることが可能となるので、複数個のゴルフボール１０を極めて簡単に直線上に並べることが可能となる。これにより、前述同様の効果を得ることができる。
【００２７】
尚、実施例ではボール本体１１に３層のボールを用いたが、ゴルフボール１０は３層に限らず、２層或いは１層だけのゴルフボールに永久磁石１６（吸着部材２２を含む）を取り付けても本発明は有効である。
【００２８】
【発明の効果】
以上詳述した如く本発明によれば、ボール本体の表面に略面一として露出させて埋め込んだ一対の永久磁石を備え、各永久磁石をボール本体の中心を通る直線上両端にそれぞれ設けると共に、両永久磁石の露出側を相互に異なる極性としたので、例えば、ボール本体に設けた一方の永久磁石（Ｎ極）と他のボール本体に設けた他方の永久磁石（Ｓ極）とを吸着させることが可能となる。これにより、複数個のゴルフボールを簡単に直線上に並べることが可能となる。従って、例えば直線上に並べた複数のゴルフボールを乱れなく平行に転がらせるパター練習を極めて容易に行うことができるようになる。
【００２９】
特に、一対の永久磁石をボール本体の中心を通る直線上に設けているので、複数のゴルフボールを一直線上に並べることができる。これにより、例えば、複数のゴルフボールが平行に略直線に進むか曲がってしまうか否かのパター技術向上練習を行うことが可能となる。従って、ゴルフボールを直線上に並べる煩わしさから解放され、短時間で複数のゴルフボールを並べることができてパター打ちの練習効果を大幅に向上させることができるようになるものである。
【００３０】
また、請求項２の発明によれば、上記に加えて、ボール本体の表面に永久磁石の極性を示す目印を、少なくとも一方の永久磁石側に設けたので、この目印側の永久磁石と他のゴルフボールの目印と反対側の永久磁石とを吸着させることができる。詳しくは、例えば一方の永久磁石（Ｎ極）側に目印を設ければ、この目印側の永久磁石と他のゴルフボールに設けた目印の反対側の他方の永久磁石（Ｓ極）とを吸着させることが可能になると共に、他方の永久磁石のＳ極側に目印を行えば、この目印側の永久磁石（Ｓ極）と他のゴルフボールに設けた目印の反対側の一方の永久磁石（Ｎ極）とを吸着させることが可能になる。これにより、複数のゴルフボールを簡単に直線上に並べることが可能となる。従って、複数のゴルフボールを極めて容易に直線上に並べることができるようになり、ゴルフボールの利便性を大幅に向上させることができるようになるものである。
【００３１】
また、請求項３の発明によれば、ボール本体の表面に略面一として露出させて埋め込んだ永久磁石と、この永久磁石が設けられた面と反対側の面に露出して設けられ、当該永久磁石に吸着可能な吸着部材とを備え、永久磁石と吸着部材とをボール本体の中心を通る直線上に設けたので、例えば、ボール本体に設けた永久磁石と他のボール本体に設けた吸着部材とを吸着させることが可能となる。これにより、複数個のゴルフボールを簡単に直線上に並べることが可能となる。従って、直線上に並べた複数のゴルフボールを乱れなく平行に転がらせるパター練習を極めて容易に行うことができるようになる。
【００３２】
特に、永久磁石と吸着部材とをボール本体の中心を通る直線上に設けているので、複数のゴルフボールを一直線上に並べることができる。これにより、例えば、際複数のゴルフボールが平行に略直線に進むか曲がってしまうか否かのパター技術向上練習を行うことが可能となる。従って、ゴルフボールを直線上に並べる煩わしさから解放されて短時間で複数のゴルフボールを並べることができるので、集中してゴルフボールを打つことができパターの練習効果を大幅に向上させることができるようになるものである。
【００３３】
また、請求項４の発明によれば、請求項３に加えて、ボール本体の表面に永久磁石の極性或いは吸着部材を示す目印を、少なくとも一方の永久磁石側或いは他方の吸着部材側に設けたので、この目印側の永久磁石（吸着部材）と他のゴルフボールの目印と反対側の吸着部材（永久磁石）とを吸着させることができる。詳しくは、例えば永久磁石側に目印を行えば、目印側の永久磁石と他のゴルフボールに設けた目印の反対側の吸着部材とを吸着させることが可能になると共に、吸着部材側に目印を行えば、目印側の吸着部材と他のゴルフボールに設けた目印の反対側の永久磁石とを吸着させることが可能になる。これにより、複数のゴルフボールを簡単に直線上に並べることが可能となる。従って、複数のゴルフボールを極めて容易に直線上に並べることができるようになり、ゴルフボールの利便性を大幅に向上させることができるようになるものである。
【００３４】
また、請求項５の発明によれば、請求項１、請求項２、請求項３又は請求項４において、永久磁石をネオジウムにて構成したので、ゴルフボールとゴルフボールとを強力に吸着させることができる。これにより、小さい永久磁石を使用することができるようになるので、例えば永久磁石を埋め込んでいない従来のゴルフボールと殆ど変わりない感触でパター練習を行うことが可能となる。従って、ゴルフボールの利便性を大幅に向上させることができるようになるものである。
【００３５】
更に、請求項６の発明によれば、請求項１、請求項２、請求項３、請求項４又は請求項５において、永久磁石及び吸着部材の露出面を平面としたので、相互に吸着する永久磁石の吸着力を最大限増大させることができる。これにより、更に小さな永久磁石を用いてもゴルフボールとゴルフボールとを強力に吸着させることが可能となる。従って、永久磁石の磁力で複数のゴルフボールを直線上に並べることができ、ゴルフボールの利便性を更に向上させることができるようになるものである。
【図面の簡単な説明】
【図１】本発明のゴルフボールの正面図である。
【図２】同図１のゴルフボールの一部断面図である。
【図３】ゴルフボールの模式図である。
【図４】表面に目印を設けたゴルフボールの正面図である。
【図５】直線上に並べた複数のゴルフボールの正面図である。
【図６】同図５の直線上に並べた複数のゴルフボールの模式図である。
【図７】もう一つのゴルフボールの正面図である。
【符号の説明】
１０  ゴルフボール
１１  ボール本体
１２  外被
１３  補強部材
１４  充填材
１５  ディンプル
１６  永久磁石
２０  目印
２０Ａ  被目印部
２２  吸着部材
【図１】
2005006805.tif 000003
【図２】
2005006805.tif 000004
【図３】
2005006805.tif 000005
【図４】
2005006805.tif 000006
【図５】
2005006805.tif 000007
【図６】
2005006805.tif 000008
【図７】
2005006805.tif 000009